(57)【要約】【課題】操作子がすばやく動かされたときには、操作子の動きに追従して迅速に画像を表示する。【解決手段】表示装置は、記憶性表示体の表示面において入力ペンによって指定された位置を検出し、検出した位置に対応する表示素子に電圧を印加する。このとき、表示装置は、入力ペンが入力検出部によって検出された複数の位置の間を移動するときの単位時間当たりの移動量を特定し、特定した移動量が閾値よりも大きい場合には、電圧を印加する印加時間が所定時間よりも短くなるように制御する。【選択図】図８
2010140295.tif 000002
【特許請求の範囲】
【請求項１】
複数の表示素子を有し、当該表示素子に電圧が印加されることにより当該電圧の印加時間に応じた濃度の画像を表示する表示面と、
操作子によって指定された複数の前記表示素子の位置を検出する位置検出手段と、
前記位置検出手段によって検出された位置に対応する前記表示素子に電圧を印加する印加手段と、
前記操作子が前記位置検出手段によって検出された複数の位置の間を移動するときの単位時間当たりの移動量を特定する移動量特定手段と、
前記移動量特定手段によって特定された移動量が閾値よりも大きい場合には、前記印加手段による電圧の印加時間が所定時間よりも短くなるように制御する制御手段と
を備えることを特徴とする表示装置。
【請求項２】
前記制御手段は、前記移動量特定手段によって特定された移動量が閾値以下である場合には、前記印加時間が所定時間以上になるように制御する
ことを特徴とする請求項１に記載の表示装置。
【請求項３】
前記制御手段は、前記移動量特定手段によって特定された移動量が閾値よりも大きい場合には、前記印加手段による前記電圧の印加が複数回行われるように制御する
ことを特徴とする請求項１又は２に記載の表示装置。
【請求項４】
前記操作子の単位時間当たりの移動量と、前記電圧の印加時間又は印加回数とを対応付けて記憶する記憶手段を備え、
前記制御手段は、前記移動量特定手段によって特定された移動量と対応付けて前記記憶手段に記憶されている印加時間又は印加回数に基づいて、前記印加手段による前記電圧の印加を制御する
ことを特徴とする請求項１から３のいずれか１項に記載の表示装置。
【請求項５】
コンピュータを、
複数の表示素子を有し、当該表示素子に電圧が印加されることにより当該電圧の印加時間に応じた濃度の画像を表示する表示面において、操作子によって指定された複数の前記表示素子の位置を検出する位置検出手段と、
前記操作子が前記位置検出手段によって検出された複数の位置の間を移動するときの単位時間当たりの移動量を特定する移動量特定手段と、
前記移動量特定手段によって特定された移動量が閾値よりも大きい場合には、前記位置検出手段によって検出された位置に対応する前記表示素子に電圧を印加する印加手段による電圧の印加時間が所定時間よりも短くなるように制御する制御手段
として機能させるためのプログラム。
【発明の詳細な説明】
【技術分野】
【０００１】
本発明は、操作子の動作に対応する画像を表示する技術に関する。
【背景技術】
【０００２】
スタイラスペンを用いて描かれた画像を表示する技術が知られている。例えば、特許文献１には、電子ペンによって手書き入力操作が行われると、タブレットによってその入力位置を検出し、検出した入力位置に対応する手書きデータを不揮発性表示装置にて表示する技術が開示されている。
【特許文献１】特開２００７−３２３３６５号公報
【発明の開示】
【発明が解決しようとする課題】
【０００３】
ところで、電気泳動方式の電子ペーパにおいては、例えば３００ｍｓの間連続して画像の書き込みを行った場合でも、１００ｍｓの画像の書き込みを３回行った場合でも、最終的に表示される画像の濃度はほぼ同じになる。しかしながら、例えば３００ｍｓの間連続して画像の書き込みを行った場合には、画像の書き込み時間が長くなるため、画像が表示されるまでに時間がかかる。そのため、例えば操作子がすばやく移動されて画像が描く操作が行われた場合には、描画された画像を操作子の動きに追従して表示していくことができない。一方、１００ｍｓの画像の書き込みを３回行った場合には、画像の書き込みを一度にまとめて行う場合に比べて、消費電力が大きくなってしまう。
本発明は、操作子がすばやく動かされたときには、操作子の動きに追従して迅速に画像を表示することを目的とする。
【課題を解決するための手段】
【０００４】
本発明は、複数の表示素子を有し、当該表示素子に電圧が印加されることにより当該電圧の印加時間に応じた濃度の画像を表示する表示面と、操作子によって指定された複数の前記表示素子の位置を検出する位置検出手段と、前記位置検出手段によって検出された位置に対応する前記表示素子に電圧を印加する印加手段と、前記操作子が前記位置検出手段によって検出された複数の位置の間を移動するときの単位時間当たりの移動量を特定する移動量特定手段と、前記移動量特定手段によって特定された移動量が閾値よりも大きい場合には、前記印加手段による電圧の印加時間が所定時間よりも短くなるように制御する制御手段とを備えることを特徴とする表示装置を提供する。これにより、操作子がすばやく動かされたときには、操作子の動きに追従して迅速に画像を表示することができる。
【０００５】
本発明の好ましい態様において、前記制御手段は、前記移動量特定手段によって特定された移動量が閾値以下である場合には、前記印加時間が所定時間以上になるように制御してもよい。これにより、操作子がゆっくりと動かされたときには、高濃度の画像を表示することができる。
【０００６】
本発明の好ましい態様において、前記制御手段は、前記移動量特定手段によって特定された移動量が閾値よりも大きい場合には、前記印加手段による前記電圧の印加が複数回行われるように制御してもよい。これにより、操作子がすばやく動かされたときに、表示される画像の濃度を濃くすることができる。
【０００７】
本発明の好ましい態様においては、前記操作子の単位時間当たりの移動量と、前記電圧の印加時間又は印加回数とを対応付けて記憶する記憶手段を備え、前記制御手段は、前記移動量特定手段によって特定された移動量と対応付けて前記記憶手段に記憶されている印加時間又は印加回数に基づいて、前記印加手段による前記電圧の印加を制御してもよい。これにより、電圧の印加を制御する処理を簡素な手順で行うことができる。
【０００８】
また、本発明は、コンピュータを、複数の表示素子を有し、当該表示素子に電圧が印加されることにより当該電圧の印加時間に応じた濃度の画像を表示する表示面において、操作子によって指定された複数の前記表示素子の位置を検出する位置検出手段と、前記操作子が前記位置検出手段によって検出された複数の位置の間を移動するときの単位時間当たりの移動量を特定する移動量特定手段と、前記移動量特定手段によって特定された移動量が閾値よりも大きい場合には、前記位置検出手段によって検出された位置に対応する前記表示素子に電圧を印加する印加手段による電圧の印加時間が所定時間よりも短くなるように制御する制御手段として機能させるためのプログラムを提供する。これにより、操作子がすばやく動かされたときには、操作子の動きに追従して迅速に画像を表示することができる。
【発明を実施するための最良の形態】
【０００９】
［構成］
図１は、本実施形態に係る表示装置１の外観を示す図であり、図２は、表示装置１の構成を示すブロック図である。この表示装置１は、例えば電子ペーパであり、入力ペン２の動作を認識し、その動作に対応する画像を表示する機能を有している。この入力ペン２は、操作子として用いられる。同２に示すように、表示装置１は、ＣＰＵ（Central Processing Unit）１１と、ＲＯＭ（Read Only Memory）１２と、ＲＡＭ（Random Access Memory）１３と、記憶部１４と、電源１５と、電源制御部１６と、操作ボタン１７と、入力検出部１８と、入出力部１９と、ＶＲＡＭ（Video Random Access Memory）２０と、表示体制御部２１と、記憶性表示体２２とを備えている。
【００１０】
ＣＰＵ１１は、ＲＯＭ１２に記憶されているプログラムを実行して、表示装置１の各部を制御する。ＲＯＭ１２は、ＣＰＵ１１によって実行される各種のプログラムやデータを記憶している。ＲＡＭ１３は、ＣＰＵ１１がプログラムを実行する際のワークエリアとして使用される。記憶部１４は、例えばフラッシュメモリであり、記憶性表示体２２に表示される画像を表す画像データなどを記憶している。電源１５は、例えば充電可能な電池であり、表示装置１の各部に電力を供給する。電源制御部１６は、電源１５の電圧を制御して、表示装置１の各部に所定電圧の電力を供給させる。操作ボタン１７は、図１に示すように表示装置１の前面に設けられており、操作者の操作を受け付けてその操作に応じた操作データを入出力部１９に供給する。入力検出部１８は、記憶性表示体２２の表示面の背面側に設けられており、静電誘導方式によって、記憶性表示体２２の表示面において入力ペン２により指定された位置を検出する。つまり、入力検出部１８は、表示面において入力ペン２によって指定された位置を検出する位置検出手段である。このとき、入力ペン２により指定された位置は、例えば記憶性表示体２２の表示面の始点を原点０としたｘｙ座標を用いて表される。そして、入力検出部１８は、入力ペン２により指定された位置を表す位置座標を入出力部１９に供給する。入出力部１９は、操作ボタン１７又は入力検出部１８とＣＰＵ１１との間の各種データのやり取りを制御する。ＶＲＡＭ２０は、記憶性表示体２２に表示される１画面分の画像を表す画像データを記憶する。表示体制御部２１は、記憶性表示体２２に駆動電圧を印加して、ＶＲＡＭ２０に記憶されている画像データに応じた画像を表示させる。記憶性表示体２２は、表示体制御部２１の制御に従って、電気泳動方式で画像を表示する。
【００１１】
図３は、記憶性表示体２２の断面構造の一部を拡大して示す図である。この図では、操作者が、図中の矢線Ｖ方向から記憶性表示体２２を視認するものとする。なお、以下の説明では、記憶性表示体２２において図中の上方向側を前面と呼び、図中の下方向側を背面と呼ぶ。同図に示すように、記憶性表示体２２は、透明電極１０１と、背面電極１０２と、表示層１０３とを備えている。透明電極１０１は、表示層１０３の前面側に設けられた透明な共通電極である。背面電極１０２は、表示層１０３の背面側において画素毎に設けられた画素電極である。表示層１０３は、複数の表示素子Ｐが配列された表示面であり、駆動電圧が印加されることにより当該駆動電圧の印加時間に応じた濃度の画像を表示する。この表示素子Ｐは、透明な分散媒が充填されたマイクロカプセルである。各々の表示素子Ｐには、正に帯電した白色顔料ＷＧと、負に帯電した黒色顔料ＢＧとが封入されている。
【００１２】
ここで、記憶性表示体２２の表示原理について説明する。画像を表示する場合には、表示体制御部２１によって、ＶＲＡＭ２０に記憶されている画像データに応じた駆動電圧が透明電極１０１及び背面電極１０２に印加される。このとき、各表示素子Ｐの黒色顔料ＢＧ及び白色顔料ＷＧは、駆動電圧の向きに応じて移動する。例えば、透明電極１０１側が正、背面電極１０２側が負となる向きの駆動電圧が印加された場合には、黒色顔料ＢＧが透明電極１０１側に移動し、白色顔料ＷＧが背面電極１０２側に移動する。このように、黒色顔料ＢＧが表示層１０３の前面側に移動した場合、その部分の画素の色は黒色になる。一方、透明電極１０１側が負、背面電極１０２側が正となる向きの駆動電圧が印加された場合には、白色顔料ＷＧが透明電極１０１側に移動し、黒色顔料ＢＧが背面電極１０２側に移動する。このように、白色顔料ＷＧが表示層１０３の表面側に移動した場合、その部分の画素の色は白色になる。ただし、駆動電圧の印加時間が所定時間よりも短い場合には、白黒が切り替わる途中の状態となるため、その部分は灰色に見えるようになる。この所定時間は、例えば黒色顔料ＢＧと白色顔料ＷＧとが移動して、それらの位置が入れ替わるのに要する時間である。この黒色顔料ＢＧ及び白色顔料ＷＧの位置は、一旦移動すると電圧の印加がなくてもその状態が維持される。つまり、記憶性表示体２２は、画像を表示した後は、電圧が印加されなくても表示した画像を保持することができる。
【００１３】
［動作］
次に、図４に示すフロー図を参照して、表示装置１の動作について説明する。操作者によって入力ペン２が記憶性表示体２２の表示面上に接触されると、入力検出部１８は、所定のサンプリング周期で、記憶性表示体２２の表示面において入力ペン２によって接触された位置を検出する（ステップＳ１１）。そして、入力検出部１８は、検出した位置を表す位置座標を入出力部１９によってＣＰＵ１１に入力する。ＣＰＵ１１は、入力検出部１８によって入力された位置座標を取得する（ステップＳ１２）。このとき、ＣＰＵ１１は、取得した位置座標を結んで入力ペン２の軌跡を特定し、特定した軌跡を表す画像データをＶＲＡＭ２０に記憶させる。続いて、ＣＰＵ１１は、取得した位置座標と入力検出部１８のサンプリング周期とに基づいて、入力ペン２の単位時間当たりの移動量を算出する（ステップＳ１３）。つまり、ＣＰＵ１１は、入力ペン２が入力検出部１８によって検出された複数の位置の間を移動するときの単位時間当たりの移動量を特定する移動量特定手段である。この単位時間は、入力検出部１８のサンプリング周期に基づいた時間であってもよいし、予め決められた時間であってもよい。
【００１４】
続いて、ＣＰＵ１１は、算出した単位時間当たりの移動量が閾値以下であるか否かを判定する（ステップＳ１４）。この閾値は、例えば入力ペン２が表示面上で動かされてから、その軌跡に応じた画像が表示されるまでの時間が上述した所定時間以上要する場合であっても、表示の遅延があまり目立たないような値にすればよい。例えば、算出した移動量が閾値以下である場合（ステップＳ１４：ＹＥＳ）、ＣＰＵ１１は、表示体制御部２１に対して、ＶＲＡＭ２０に記憶されている画像データに基づいて一括書き込みモードで画像を書き込むよう指示する。この一括書き込みモードでは、上述した所定時間以上の印加時間での駆動電圧の印加が１回だけ行われる。つまり、ＣＰＵ１１は、上述にて特定された移動量が閾値以下である場合には、表示体制御部２１による駆動電圧の印加時間が所定時間以上になるように制御する。この場合、表示体制御部２１は、ＣＰＵ１１の指示に従って、一括書き込みモードで画像の書き込みを行う（ステップＳ１５）。このとき、表示体制御部２１は、ＶＲＡＭ２０に記憶されている画像データに基づいて、入力ペン２の軌跡に対応する表示素子Ｐに駆動電圧を印加する。つまり、表示体制御部２１は、入力検出部１８によって検出された位置に対応する表示素子Ｐに電圧を印加する印加手段である。一方、算出した移動量が閾値よりも大きい場合（ステップＳ１４：ＮＯ）、ＣＰＵ１１は、表示体制御部２１に対して、ＶＲＡＭ２０に記憶されている画像データに基づいて高速書き込みモードで画像を書き込むよう指示する。この高速書き込みモードでは、上述した所定時間よりも短い印加時間での駆動電圧の印加が複数回行われる。つまり、ＣＰＵ１１は、上述にて特定された移動量が閾値よりも大きい場合には、表示体制御部２１による駆動電圧の印加時間が所定時間よりも短くなるよう制御するとともに、当該駆動電圧の印加が複数回行われるように制御する。この場合、表示体制御部２１は、ＣＰＵ１１の指示に従って、高速書き込みモードで画像の書き込みを行う（ステップＳ１６）。このとき、表示体制御部２１は、上述と同様に、ＶＲＡＭ２０に記憶されている画像データに基づいて、入力ペン２の軌跡に対応する表示素子Ｐに駆動電圧を複数回印加する。
【００１５】
例えば、図５（ａ）に示すように、操作者が入力ペン２をゆっくりと移動させて、記憶性表示体２２の表示面上に線画を描く操作を行った場合を想定する。このとき、入力ペン２の単位時間当たりの移動量は、上述した閾値以下であるものとする。この場合、上述したステップＳ１４では、算出した単位時間当たりの移動量が閾値以下であると判定され（ステップＳ１４：ＹＥＳ）、ステップＳ１５において、一括書き込みモードで画像の書き込みが行われる。
【００１６】
図６は、一括書き込みモードでの画像の書き込みの一例を示す図である。同図に示すように、この一括書き込みモードでは、所定時間以上の３００ｍｓの電圧印加が１回だけ行われる。なお、以下の説明では、駆動電圧が印加されている期間を「書き込み期間」という。このとき、駆動電圧が印加された表示素子Ｐの黒色顔料ＢＧと白色顔料ＷＧは、電圧の向きに応じた方向に移動して位置が入れ替わる。これにより、書き込み期間が終了した後の表示期間Ｌ０において、記憶性表示体２２の表示面には、図５（ｂ）に示すように、入力ペン２の軌跡に応じた線画が黒色で表示される。このように、一括書き込みモードでは、駆動電圧の印加を一度にまとめて行って高濃度の画像を一括で表示しているため、駆動電圧の印加を複数回行う場合に比べて、消費電力を少なくすることができる。また、一括書き込みモードでは、ＣＰＵ１１が、書き込み期間中に他の処理を行うことができる。
【００１７】
次に、図７（ａ）に示すように、操作者が入力ペン２をすばやく移動させて、記憶性表示体２２の表示面上に線画を描く操作を行った場合を想定する。このとき、入力ペン２の単位時間当たりの移動量は、上述した閾値よりも大きいものとする。この場合、上述したステップＳ１４では、算出した単位時間当たりの移動量が閾値よりも大きいと判定され（ステップＳ１４：ＮＯ）、ステップＳ１６において、高速書き込みモードで画像の書き込みが行われる。
【００１８】
図８は、高速書き込みモードでの画像の書き込みの一例を示す図である。同図に示すように、この高速書き込みモードでは、所定時間よりも短い１００ｍｓの電圧印加が３回行われる。まず、１回目の電圧印加により、駆動電圧が印加された表示素子Ｐの黒色顔料ＢＧ及び白色顔料ＷＧは、電圧の向きに応じた方向に３分の１程度移動した状態となる。これにより、１回目の書き込み期間が終了した後の表示期間Ｌ１において、記憶性表示体２２の表示面には、図７（ｂ）に示すように、入力ペン２の軌跡に応じた線画が薄い灰色で表示される。続いて、２回目の電圧印加により、駆動電圧が印加された表示素子Ｐの黒色顔料ＢＧ及び白色顔料ＷＧは、電圧の向きに応じた方向にさらに３分の１程度移動した状態となる。これにより、２回目の書き込み期間が終了した後の表示期間Ｌ２において、記憶性表示体２２の表示面には、図７（ｃ）に示すように、濃い灰色の線画が表示される。そして、３回目の電圧印加により、電圧が印加された表示素子Ｐの黒色顔料ＢＧと白色顔料ＷＧがさらに移動して、それらの位置が入れ替わった状態となる。これにより、３回目の書き込み期間が終了した後の表示期間Ｌ３において、記憶性表示体２２の表示面には、図７（ｄ）に示すように、黒色の線画が表示される。これを操作者から見ると、線画の色が段々と濃くなっていくように見える。このように、高速書き込みモードでは、１回目の書き込み期間の後に一旦低濃度の画像を表示した後、この画像の濃度を濃くしていくため、一括書き込みモードよりも画像を迅速に表示することができる。
【００１９】
以上説明した実施形態によれば、入力ペン２が表示上ですばやく動かされた場合には、高速書き込みモードで画像の書き込みが行われるため、入力ペン２の軌跡に応じた画像が迅速に表示される。一方、入力ペン２が表示上でゆっくりと動かされた場合には、一括書き込みモードで画像の書き込みが行われるため、消費電力を抑えることができる。つまり、消費電力を低減させるとともに、入力ペン２がすばやく動かされたときには、入力ペン２の動きに追従して迅速に画像を表示することができる。
【００２０】
［変形例］
以上が実施形態の説明であるが、この実施形態の内容は以下のように変形し得る。また、以下の変形例を適宜組み合わせてもよい。
（変形例１）
上述した実施形態では、一括書き込みモード又は高速書き込みモードのいずれかで画像の書き込みを行う例を挙げて説明したが、画像の書き込みモードが３つ以上あってもよい。ここでは、上述した一括書き込みモード及び高速書き込みモードに加えて、１５０ｍｓの電圧印加を２回に分けて行う中間書き込みモードを有する場合を想定する。この場合、ＲＯＭ１２には、図９に示すような選択テーブルＴが記憶される。つまり、ＲＯＭ１２は、入力ペン２の単位時間当たりの移動量と、電圧の印加時間又は印加回数とを対応付けて記憶する記憶手段である。そして、ＣＰＵ１１は、入力ペン２の単位当たりの移動量が第１の閾値以下である場合には、この選択テーブルＴにおいて移動量「小」に対応付けられた「一括書き込みモード」を選択する。また、ＣＰＵ１１は、入力ペン２の単位時間当たりの移動量が第２の閾値（第１の閾値より大）よりも大きい場合には、この選択テーブルＴにおいて移動量「大」に対応付けられた「高速書き込みモード」を選択する。さらに、ＣＰＵ１１は、入力ペン２の単位時間当たりの移動量が第１の閾値よりも大きく、第２の閾値以下である場合には、この選択テーブルＴにおいて移動量「中」に対応付けられた「中間書き込みモード」を選択する。つまり、ＣＰＵ１１は、上述にて特定された移動量と対応付けてＲＯＭ１２に記憶されている印加時間又は印加回数に基づいて、表示体制御部２１による電圧の印加を制御する。
【００２１】
（変形例２）
上述した高速書き込みモードにおいて、各々の書き込み期間を開始するタイミングは、操作者の操作によって指定されてもよい。例えば、クイズの回答を表示するような場合を想定する。この場合、操作者は、１回目のヒントを出すときに、操作ボタン１７などを操作して１回目の電圧印加の実行を指示する。これにより、記憶性表示体２２の表示面には、薄い灰色でクイズの回答が表示される。続いて、操作者は、２回目のヒントを出すときに、上述と同様の操作を行って２回目の電圧印加の実行を指示する。これにより、記憶性表示体２２の表示面に表示されているクイズの回答の色が濃い灰色になる。そして、操作者は、最終的にクイズの回答を表示するときに、上述と同様の操作を行って３回目の電圧印加の実行を指示する。これにより、記憶性表示体２２の表示面に表示されているクイズの回答の色が黒色になり、はっきりと視認できるようになる。このように、記憶性表示体２２の表示面に表示される画像の色を段階的に濃くしていくことにより、面白みのある表示をすることができる。
【００２２】
（変形例３）
上述した実施形態では、電磁誘導方式によって入力ペン２の位置を検出していたが、入力ペン２の位置を検出する方法はこれに限らない。例えば、タッチパネルを用いて、抵抗膜方式によって入力ペン２の位置を検出してもよい。
【００２３】
（変形例４）
上述した実施形態では、入力ペン２によって指定された位置の位置座標と入力検出部１８のサンプリング周期とに基づいて、入力ペン２の単位時間当たりの移動量を特定していたが、入力ペン２の移動量を特定する方法はこれに限らない。例えば、光センサなどを用いて、入力ペン２の単位時間当たりの移動量を測定してもよい。また、入力ペン２と表示装置１とが互いに通信を行うための通信手段を備えている場合には、入力ペン２が加速度センサなどを用いて自身の速度の変化量を測定し、その測定結果を表示装置１に送信する。そして、表示装置１は、入力ペン２から送信されてきた測定結果を取得し、取得した測定結果に基づいて入力ペン２の単位時間当たりの移動量を特定してもよい。
【００２４】
（変形例５）
上述した実施形態において、高速ページめくり処理を行う場合には、例えば高速書き込みモードにおける１回目の電圧印加だけが行なわれるようにしてもよい。この高速ページめくり処理とは、連続するページの画像を短時間で次々に表示していく処理をいう。この場合、表示される画像の色は薄くなるが、各ページの画像の書き込み期間は短くなる。これにより、ページめくりにかかる時間を短縮することができる。なお、高速ページめくり処理においては、各ページの画像の概略だけが分かればよく、画像が鮮明に表示される必要はないから、低濃度の画像を表示するだけで足りる。
【００２５】
（変形例６）
上述した実施形態において、ＣＰＵ１１が実行する処理は、ＣＰＵ１１と他のハードウェアとの協働によって行われてもよいし、ＣＰＵ１１に代えて１又は複数のハードウェアが行ってもよい。また、ＣＰＵ１１によって行われる処理は、単一のプログラムによって実現されてもよいし、複数のプログラムによって実現されてもよい。また、ＣＰＵ１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００２６】
【図１】実施形態に係る表示装置の外観を示す図である。
【図２】前記表示装置の構成を示すブロック図である
【図３】前記表示装置の記憶性表示体の断面構造の一部を拡大して示す図である。
【図４】前記表示装置の動作を示すフロー図である。
【図５】一括書き込みモードにおいて画像が表示される様子を示す図である。
【図６】一括書き込みモードでの画像の書き込みの一例を示す図である。
【図７】高速書き込みモードにおいて画像が表示される様子を示す図である。
【図８】高速書き込みモードでの画像の書き込みの一例を示す図である。
【図９】変形例に係る前記表示装置が記憶する選択テーブルの一例を示す図である。
【符号の説明】
【００２７】
１…表示装置、１１…ＣＰＵ、１２…ＲＯＭ、１３…ＲＡＭ、１４…記憶部、１５…電源、１６…電源制御部、１７…操作ボタン、１８…入力検出部、１９…入出力部、２０…ＶＲＡＭ、２１…表示体制御部、２２…記憶性表示体。
【図１】
2010140295.tif 000003
【図２】
2010140295.tif 000004
【図３】
2010140295.tif 000005
【図４】
2010140295.tif 000006
【図５】
2010140295.tif 000007
【図６】
2010140295.tif 000008
【図８】
2010140295.tif 000009
【図９】
2010140295.tif 000010
【図７】
2010140295.tif 000011